(57)【特許請求の範囲】
【請求項１】
内鍋と、この内鍋を加熱する内鍋加熱手段と、マイコンよりなる炊飯器制御手段と、この炊飯器制御手段に接続され、炊飯又は保温機能の選択設定を行う複数の操作スイッチとを備え、上記炊飯器制御手段は、炊飯又は保温制御を必要としない待機状態が所定の時間以上継続し、かつ同継続時間内において上記複数の操作スイッチの内の何れの操作スイッチも操作もなされなかったことを条件として炊飯器の消費電力を節減する省エネモードと、炊飯又は保温制御を必要としない待機状態であっても、上記２つの条件が成立していない場合には消費電力を節減しない通常モードとの２つの電力制御モードを有してなる電気炊飯器であって、上記炊飯器制御手段は、上記炊飯器制御手段を構成するマイコンに上記複数の操作スイッチの操作信号を入力することによって上記炊飯又は保温機能の選択設定を可能とする操作信号入力ポートに加えて、上記省エネモードを解除するための割込信号を入力する割り込み信号入力ポートを設け、上記複数の操作スイッチの内のタイマー予約スイッチを除く操作スイッチの操作による操作信号を上記省エネモード解除用の割り込み信号として入力させることによって上記省エネモードを解除し、それまでの操作スイッチの操作による炊飯又は保温機能の選択設定状態を保持させたままで新たな炊飯又は保温機能の選択設定が可能な通常モードに復帰させるとともに、同通常モードへの復帰状態において、再び上記省エネモードに移行するための２つの条件が成立したか否かの判定を繰り返し、可能な限り上記省エネモードに維持し得るようにしたことを特徴とする電気炊飯器。
【発明の詳細な説明】
【技術分野】
【０００１】
本願発明は、待機時の省エネ性能を向上させた電気炊飯器の構成に関するものである。
【背景技術】
【０００２】
最近のマイコン制御式の電気炊飯器では、高い加熱出力で効率良く炊飯を行ない、炊飯が完了すると、自動的に保温工程に移行し、ユーザーにより保温取消スイッチが押されるか又は予じめ設定された保温設定時間が経過するまでの間は、ご飯の温度が予じめ設定した所望の保温温度に維持されるように、ご飯の温度を検出しながら保温ヒータ等保温加熱手段の加熱量を適切に制御するようになっている（特許文献１参照）。
【先行技術文献】
【特許文献】
【０００３】
【特許文献１】特開２０００−１４５４１号公報（明細書第１−１０頁、図１−１１）
【発明の概要】
【発明が解決しようとする課題】
【０００４】
ところが、同従来の電気炊飯器の場合、タイマー予約中を含めて、炊飯スイッチがＯＮになり、実際に炊飯が開始されるまでの待機時間内にも、その電源回路、制御回路（マイコン）のすべてにＡＣ電源からの動作電源が供給されており、そのために相当の電力が無駄に消費されている。
【０００５】
これに関し、最近では、各種電気機器の制御に用いられるマイコンにＲＴＣ機能（リアルタイムクロック機能）を付加し、一定時間以上必要な制御動作要求がなかった場合には、自動的に周辺回路の電源をＯＦＦにして消費電力の低減を図るようになってきている。
【０００６】
そこで、上記のような問題に対する対応措置として、例えばコピー機などでは、一定時間以上使用されない時は、それまでの設定状態を全て初期状態にリセットしてしまって、マイコン部以外の電源をＯＦＦにし省エネモードに入るＲＴＣモードが付加されている。
【０００７】
しかし、電気炊飯器の場合、初期状態にリセットしてしまうと、それまでの炊飯メニュー等のセット状態やタイマー予約セット状態までがクリアされてしまい、ユーザーは再度設定操作を行わなければならない不便が生じる。
【０００８】
したがって、仮にＲＴＣモード機能を有するマイコンを用いて炊飯器制御手段を構成したとしても、そのまま当該ＲＴＣモードを利用して電気炊飯器の省エネモードを実現することができない。
【０００９】
本願発明は、このような事情に基いてなされたもので、炊飯又は保温制御を必要としない待機状態では、可及的に消費電力を節減する省エネモードに維持させる一方、炊飯器制御手段を構成するマイコンに、炊飯又は保温機能の選択設定を行う操作スイッチの操作信号を入力する操作信号入力ポートに加えて、上記省エネモードを解除するための割込信号を入力する割り込み信号入力ポートを設け、上記炊飯又は保温機能の選択設定を行う操作スイッチの内のタイマー予約スイッチを除く操作スイッチの操作による操作信号を上記省エネモード解除用の割り込み信号として入力させることによって上記省エネモードを解除可能とし、それまでの操作スイッチの操作による炊飯又は保温機能の選択設定状態を保持させたままで新たな炊飯又は保温機能の選択設定が可能な通常モードに復帰させるとともに、同通常モードへの復帰状態において、再び上記省エネモードに移行するための条件が成立したか否かの判定を繰り返し、可能な限り省エネモードに維持できるようにした電気炊飯器を提供することを目的とするものである。
【課題を解決するための手段】
【００１０】
本願各発明は、上記の目的を達成するために、それぞれ次のような課題解決手段を備えて構成されている。
【００１１】
（１）  請求項１記載の発明
この発明の電気炊飯器は、内鍋と、この内鍋を加熱する内鍋加熱手段と、マイコンよりなる炊飯器制御手段と、この炊飯器制御手段に接続され、炊飯又は保温機能の選択設定を行う複数の操作スイッチとを備え、上記炊飯器制御手段は、炊飯又は保温制御を必要としない待機状態が所定の時間以上継続し、かつ同継続時間内において上記複数の操作スイッチの内の何れの操作スイッチも操作もなされなかったことを条件として炊飯器の消費電力を節減する省エネモードと、炊飯又は保温制御を必要としない待機状態であっても、上記２つの条件が成立していない場合には消費電力を節減しない通常モードとの２つの電力制御モードを有してなる電気炊飯器であって、上記炊飯器制御手段は、上記炊飯器制御手段を構成するマイコンに上記複数の操作スイッチの操作信号を入力する操作信号入力ポートとは別に、上記省エネモードを解除するための割込信号を入力する割り込み信号入力ポートを設け、上記複数の操作スイッチの内の所定の操作スイッチのＯＮ操作による操作信号を割り込み信号として省エネモードを解除し、それまでの操作スイッチの操作による炊飯又は保温機能の選択設定状態を保持させたままで新たな炊飯又は保温機能の選択設定が可能な通常モードに復帰させるとともに、同通常モードへの復帰状態において、再び上記省エネモードに移行するための２つの条件が成立したか否かの判定を繰り返し、可能な限り上記省エネモードに維持し得るようにしたことを特徴としている。
【００１２】
このように、炊飯又は保温制御を必要としない待機状態における炊飯器の消費電力を節減する省エネモードと同待機状態における消費電力を節減しない通常モードとの２つの電力制御モードを設け、上記炊飯又は保温制御を必要としない待機状態が所定の時間以上継続し、かつ同継続時間内において炊飯又は保温機能の選択設定を行う複数の操作スイッチの内の何れの操作スイッチも操作もなされなかった場合には、消費電力を節減しない通常モードから消費電力を節減する省エネモードに入って、可能な限り消費電力を節減するようにすると、上記炊飯又は保温制御を必要としない待機状態における消費電力が有効に低減され、電気炊飯器の省エネ性性能が大きく向上する。
【００１３】
一方、その場合において、上記炊飯器制御手段を構成するマイコンにより、例えば所定の時間毎に上記炊飯器制御手段の省エネモードから通常モードへの復帰の必要性を判定し、上記炊飯又は保温機能を選択設定するための複数の操作スイッチの内の少なくともタイマー予約スイッチを除く何れかの操作スイッチが操作されると、上記省エネモードの解除条件が成立したと判定して、上記消費電力を節減する省エネモードから消費電力を節減しないが新たな炊飯又は保温機能の選択設定が可能な通常モードへ復帰させ、当該操作スイッチの操作内容を確定することができるようにしている。
【００１４】
すなわち、上記タイマー予約スイッチを除く何れかの操作スイッチがＯＮ操作されると、同操作スイッチのＯＮ操作信号が上記炊飯器制御手段を構成するマイコンの操作信号入力ポートに入力されて、その操作内容が判定される一方、同ＯＮ操作信号が上記省エネモードを解除するための割込信号として割り込み信号入力ポートに入力されて、それまでの操作スイッチのＯＮ操作による炊飯又は保温機能の選択設定状態を保持させたままで、省エネモードが解除され、新たな炊飯又は保温機能の設定が可能な通常モードに復帰する。
【００１５】
したがって、当該操作スイッチの操作による操作内容を確定させることが可能になる。
【００１６】
通常モードへの復帰状態においては、再び上記省エネモードに移行するための２つの条件の成立、すなわち炊飯又は保温制御を必要としない待機状態が所定の時間以上継続し、かつ同継続時間内において上記複数の操作スイッチの内の何れの操作スイッチも操作もなされなかったか否かの判定を繰り返し、可能な限り上記省エネモードに維持し得るように制御される。
【００１７】
したがって、以上のような構成によると、何れかの操作キースイッチがＯＮ操作されたら、以後のそのまま初期状態にリセットして通常モードに戻す単なるＲＴＣ制御の場合と異なって、それまでに順次操作設定された設定内容を保持した状態での（確定させた状態での）有効な省エネ制御が可能となる。そのため、ユーザーに対して不便を感じさせないですむ。
【００１８】
しかも、同制御は、上記炊飯器制御手段を構成するマイコンに対し、上記複数の操作スイッチの操作信号を入力する操作信号入力ポートに加えて、上記省エネモードを解除するための割込信号を入力する割り込み信号入力ポートを設け、上記複数の操作スイッチの内の少なくともタイマー予約スイッチを除く操作スイッチのＯＮ操作により生じる操作信号を、それら両入力ポートに同時に入力させるだけで足り、構成も非常に簡単で、低コストに実現することができる。
【発明の効果】
【００１９】
以上の結果、本願発明によると、仮に長い待機期間中において何らかのキー操作があっても、その後所定時間以上キー操作がないような場合には、それまでのキー操作による設定内容を有効に確定し、それまでの設定状態を保持させた上で、再び省エネモードでの制御を維持することが可能となり、本来の必要な制御機能に制約を与えない有効な省エネ性能を実現することができる。
【図面の簡単な説明】
【００２０】
【図１】本願発明の各実施の形態に共通な電気炊飯器の炊飯器全体の構成を示す縦断面図である。
【図２】同電気炊飯器の液晶表示部を中心とする操作パネル部分の構成を示す拡大正面図である。
【図３】同電気炊飯器の制御回路部分の全体的な構成を示すブロック図である。
【図４】同電気炊飯器の電源回路側待機電力低減回路部分の構成を示す電気的な結線図である。
【図５】同電気炊飯器の省エネモード（スリーブ制御モード）から通常モードに復帰させるためのマイコンの割込信号入力ポートと操作キースイッチとの接続関係を示す電気的な結線図である。
【図６】同電気炊飯器の省エネ制御モード（スリープ制御モード）の内容を示すフローチャートである。
【発明を実施するための形態】
【００２１】
図１および図２は、本願発明の実施の形態に係る電気炊飯器の炊飯器本体および要部の構成を示している。
【００２２】
（炊飯器全体の構成）
この電気炊飯器１は、図１に示すように、例えば内鍋（飯器ないし保温容器）３として非金属材料からなる蓄熱性の良い鍋（例えば、セラミック製の土鍋）が一例として採用されており、その底壁部３ａの底部中央面（フラット面部）および該底壁部３ａ外周の湾曲面部（Ｒ面部）には、それぞれ内部に誘起されるうず電流によって自己発熱が可能な例えば銀ペースト等の金属製の第１，第２の誘導発熱体Ｇ１，Ｇ２が設けられている。
【００２３】
そして、この電気炊飯器１は、同構成の内鍋３と、該内鍋３を任意に収納セットし得るように形成された下部側合成樹脂製の皿状の底壁部４ａおよび上部側筒状の側壁部４ｂよりなる内ケース（保護枠）４と、該内ケース４を保持する外部筺体である有底筒状の外ケース５と、該外ケース５の下部に一体に嵌合された底ケース１３と、上記外ケース５と上記内ケース４とを肩部１０により一体化して形成された炊飯器本体の上部に開閉可能に設けられた蓋ユニット（蓋体）２とから構成されている。
【００２４】
外ケース５の前面部上方には、操作パネル部２０が設けられている。そして、該操作パネル部２０面には、例えば図１、図２、図３に示すように、大きな表示面積をもつ液晶表示部２１と炊飯スイッチＳＷ４、保温スイッチＳＷ３、タイマー予約スイッチＳＷ５、取消スイッチＳＷ１、時指定スイッチＳＷ６、分指定スイッチＳＷ７、メニュー選択スイッチＳＷ２等の各種操作キースイッチが設けられている。
【００２５】
また、該操作パネル部２０の内側部分（裏側空間）には、内ケース４側壁部４ｂの前側に設けられた制御基板Ｂ１の上端位置から斜め前方に下降する格好で、マイコン基板Ｂ２がマイコン基板カバー１８を介して傾斜設置されている。
【００２６】
このマイコン基板Ｂ２上の外気に開放された所定の位置には、室内の温度を検出する室温センサＳ３が設けられている。
【００２７】
一方、内ケース４の底壁部４ａの下方側には、フェライトコア収納部を備えたコイルカバー（コイル台）６が設けられ、その下部にはフェライトコア（符号省略）を配置し、またそれらの間には、上記内鍋３の底壁部３ａの中央部側フラット面部と外周部側湾曲面部の上記第１，第２の２組の誘導発熱体Ｇ１，Ｇ２位置に対応して各々リッツ線が同心状に巻成された第１，第２の２組のワークコイルＣ１，Ｃ２が設けられており、それらへの通電時には上記内鍋３の上記第１，第２の誘導発熱体Ｇ１，Ｇ２にうず電流を誘起して、上記内鍋３を効率良く加熱するようになっている。
【００２８】
上記内ケース４（側壁部４ｂ）の前方部側には、上記のようにワークコイルＣ１，Ｃ２、保温ヒータＨ１等を駆動制御するＩＧＢＴやヒータ駆動回路、電源電圧整流用のダイオードブリッジよりなる整流回路、平滑回路などを備えた制御基板Ｂ１および制御基板カバー７が上下方向に立設する状態で設けられている。
【００２９】
この制御基板Ｂ１には、ＩＧＢＴの側に隣接する形で、同部分の温度検出する基板センサＳ２が設けられている。
【００３０】
上記内ケース４の皿状の底壁部４ａは、その底面部の中央部に内鍋３の底部３ａの温度を検知するサーミスタを内装した底センサーＳ１のセンサー部嵌合口が形成されているとともに、同センサー部嵌合口の外周側上面にはドーナツ状の遮熱板８が設けられている。また、外周側湾曲面部の上端側には、所定幅半径方向外方に張り出したフランジ状の段部９が設けられ、この段部９部分に上記上部側筒状の側壁部４ｂの下端側が係合載置されている。
【００３１】
他方、同上部側筒状の側壁部４ｂの上端は、図示しない内枠部材を介して上記炊飯器本体側外ケース５上端の肩部材１０側に連結して固定されている。
【００３２】
また、上記内ケース４の上部側筒状の側壁部４ｂの外周には、炊飯および保温時において加熱手段として機能する保温ヒータ（側面ヒータ）Ｈ１が設けられており、炊飯時および保温時において上記内鍋３の全周を有効かつ均一に加熱するようになっている。
【００３３】
なお、符号１２，１２・・・は、上記外ケース５の底部側に嵌合一体化された底ケース１３の前部部分にグリル状に設けられた冷却ファン１１用の空気吸込口である。
【００３４】
（蓋ユニットの構成）
さらに符号２は上記蓋ユニットであり、該蓋ユニット２は、その外周面を構成するとともに中央部に調圧ユニット１４を備えた合成樹脂製の外カバー２ａと、該外カバー２ａの外周部内側に嵌合一体化して設けられた合成樹脂製の内枠２ｂと、該内枠２ｂの内側開口部内に嵌合された金属製の放熱板２ｃと、放熱板２ｃの上面に設けられた蓋ヒータＨ２と、上記放熱板２ｃの下方に設けられた金属製の内蓋２ｄとを備えて構成されている。また、放熱板２ｃの外周縁部下方および内蓋２ｄの外周縁部下方には、それぞれパッキン１９ａ，１９ｂが設けられており、内蓋２ｄは、同パッキン１９ｂを介して内鍋３の開口縁部３ｃの上面部に接触させられている。また、１４ｄは、上記外カバー２ａの調圧口２ｅに嵌合された調圧パイプ１４ａ内の調圧弁（球体）、１４ｃはその下部側の弁口部を有する弁座プレート、１４ｂは調圧パイプ１４ａの下方側に拡大された開口部に嵌合された調圧キャップである。
【００３５】
この蓋ユニット２は、図示しない上記外ケース５上部の後端側で肩部材１０に対してヒンジ機構を介して回動自在に取付けられており、その開放端側には、該蓋ユニット２の前端側所定位置に係合して該蓋ユニット２の上下方向への開閉を行うロック機構１７が設けられている。
【００３６】
また、符号Ｓ４は、上記内鍋３内の温度および沸騰状態を検知する蓋センサ（蒸気センサ）であり、この蓋センサＳ４は上記内蓋２ｄの開口部に蒸気通路１６ｅを有した蒸気パイプ１６ｃを嵌合するとともに、同蒸気パイプ１６ｃ内の蒸気通路１６ｅ内に上方側放熱板２ｃ側に取付ホルダー１６ａおよび１６ｄを介して取り付けられているサーミスタ１６ｂの先端を挿入する形で設けられている。この場合、同サーミスタ１６ｂは、図示のように上方から下方に向けて長く延びる軸体状のものよりなり、その先端側センサ部（温度検知部）が、上記内鍋３の開口縁部３ｃよりも内側に臨んで（侵入する形で）設けられている。
【００３７】
そして、それにより内鍋３内の温度を蒸気の発生前の段階から極めて精度良く検出するようになっている。
【００３８】
（制御回路部分の構成）
次に図３は、上述のように構成された炊飯器本体の炊飯および保温制御を行う制御回路部分の構成を示す。
【００３９】
この制御回路には、上述した第１，第２のワークコイルＣ１，Ｃ２および保温ヒータＨ１、蓋ヒータＨ２等の出力を制御する出力制御用のマイコン制御ユニット４０を中心として、ＡＣ電源３０側からの電源回路部に待機電力低減回路（その詳細な構成については、図４を参照）３２、整流平滑回路３５ａ，３５ｂ、第１，第２のワークコイルＣ１，Ｃ２、ＩＧＢＴ、チョークコイル、共振回路よりなるＩＨ回路３７、ＤＣ２０Ｖ電源３６、各種センサＳ１〜Ｓ４を用いた温度検出回路３８、入力電圧検出回路３９、マイコン電源回路４１、ＩＧＢＴ駆動回路４２、入力電流検出回路４３、電源電圧のゼロクロス検出回路４４、リセット回路４８、保温ヒータ駆動回路３３、蓋ヒータ駆動回路３４、冷却ファン１１のファンモータＦＭ駆動回路２６、メインクロック信号発生回路４５、ＥＥＰＲＯＭ４６等がそれぞれ設けられており、それらが各々図示のようにマイコン制御ユニット４０に対して接続されている。
【００４０】
また、同マイコン制御ユニット４０には、さらに操作基板Ｂ２側の液晶表示部２１、炊飯又は保温、タイマー予約、予約時刻設定、白米又は玄米もしくは雑穀米、早炊き、おかゆ、すしめし、炊き込み等の炊き分け、通常モード又は省エネモードその他各種の炊飯又は保温機能の選択設定を行う操作キースイッチＳＷ１〜ＳＷ７が、それぞれマイコン制御ユニット４０に接続されている。
【００４１】
（待機電力低減回路の構成）
次に図４は、上記待機電力低減回路３２の詳細な構成を示している。
【００４２】
図中、符号４０は上述の制御マイコン、符号３０は上述のＡＣ電源であり、これらの間に、図示のような電磁リレーＲと、該電磁リレーＲの励磁コイルＲＬをＯＮ，ＯＦＦ駆動するスイッチングトランジスタＱと、ＡＣ電源３０から上述のＩＨ回路３７およびＤＣ電源回路３６への電源ライン３０ａの途中に介設された電磁リレーＲＬのリレー接点ＲＳと、電源ライン３０ａからのＡＣ電源電圧を所望の電圧（例えば２０Ｖ）のＤＣ電源電圧に変換するＡＣ／ＤＣコンバータ３２ａと、該ＡＣ／ＤＣコンバータ３２ａで変換されたＤＣ電源電圧を上記マイコン制御ユニット４０に動作電源として供給する逆流防止ダイオードＤ１と、該逆流防止ダイオードＤ１と上記マイコン制御ユニット４０との間のＤＣ電源ライン３０ｂに逆流防止ダイオードＤ２を介してＤＣ電源電圧を印加する第１のバックアップ電源（リチウム固定電池）ＬＢと、上記ＤＣ電源ライン３０ｂにＡＣ／ＤＣコンバータ３２ａを介して供給されるＤＣ電源電圧が印加されている時に所定の値の電流制限抵抗Ｒを介してバックアップ用のＤＣ電源電圧をチャージする電気二重層コンデンサよりなる第２のバックアップ電源ＣＯとからなっており、上記電気二重層コンデンサよりなる第２のバックアップ電源ＣＯの電源電圧値（保持電圧値）Ｖは、上記マイコン制御ユニット４０の電圧判定部に入力されて、常時その電圧値Ｖの値が監視されるようになっている。
【００４３】
一方、上記マイコン制御ユニット４０は、当該電気炊飯器の炊飯又は保温状態の判定機能や各種操作キースイッチＳＷ１〜ＳＷ７の操作状態判定機能、待機時間のカウント機能等を有し、当該電気炊飯器が炊飯又は保温動作状態になく、且つ何れの操作キースイッチもＯＮ操作されない待機状態が予じめ設定された所定の設定時間以上継続した場合には、上記スイッチングトランジスタＱを強制的にＯＦＦ作動させて、上記電磁リレーＲのリレーコイルＲＬを励磁せず、対応するリレー接点ＲＳを開放状態に維持することによって、上述したＩＨ回路３７への電源ライン３０ａ、マイコン制御ユニット４０へのＤＣ電源ライン３０ｂの何れへの電源もＯＦＦにし、可能な限りの待機電力の低減を図る。
【００４４】
そして、この待機電力低減状態では、次のようにして必要な電源電圧が維持される第２のバックアップ電源ＣＯを中心としてマイコン制御ユニット４０の動作電源が確保される。
【００４５】
すなわち、上記マイコン制御ユニット４０の電圧判定部には、上記のように電気二重層コンデンサよりなる第２のバックアップ電源ＣＯの端子電圧Ｖが入力されるようになっており、同電圧Ｖの値がマイコン動作に必要な所定の設定電圧値よりも低下すると、マイコン制御ユニット４０は、上記スイッチングトランジスタＱをＯＮ作動させることにより、電磁リレーＲのリレーコイルＲＬを励磁し、対応するリレー接点ＲＳを閉じて、ＡＣ／ＤＣコンバータ３２ａ、逆流防止ダイオードＤ１、電流制限抵抗Ｒを介して同電気二重層コンデンサよりなる第２のバックアップ電源ＣＯに必要な電源電圧を速やかにチャージする。そして、同チャージによって、同電気二重層コンデンサよりなる第２のバックアップ電源ＣＯの端子電圧値が所定の設定電圧値になると、上記マイコン制御ユニット４０は上記スイッチングトランジスタＱを速やかにＯＦＦ作動させて電磁リレーＲのリレーコイルＲＬの励磁を停止し、対応するリレー接点ＲＳを開放する。この結果、ＡＣ／ＤＣコンバータ３２ａを介した第２のバックアップ電源ＣＯへのチャージ作用は短時間で停止される。
【００４６】
そして、それ以降は、再び当該電気二重層コンデンサよりなる第２のバックアップ電源ＣＯから逆流防止ダイオードＤ３を介して上記ＤＣ電源ライン３０ｂにＤＣ電源を供給するようになり、同第２のバックアップ電源ＣＯを上記第１のバックアップ電源ＬＢとともに有効なバックアップ電源として、マイコン制御ユニット４０は長時間に亘って制御動作することができる。
【００４７】
このため、同構成では、例えば上記ＡＣ電源ＯＦＦ時等の停電時であって、上記電気二重層コンデンサよりなる第２のバックアップ電源ＣＯの端子電圧Ｖが上記固定電池よりなる第１のバックアップ電源ＬＢの端子電圧よりも低い時以外には、高価なリチウム電池等よりなる第１のバックアップ電源ＬＢの電源を消費しなくても良くなり、同第１のバックアップ電源ＬＢの寿命が大きく延長される。
【００４８】
したがって、後述するように長時間に亘って待機時のＡＣ電源、ＤＣ電源のＯＦＦ制御を行うような場合（図６のフローチャート参照）にも、より確実なマイコンの制御機能を確保することができるようになる。
【００４９】
また同構成では、仮に第１のバックアップ電源ＬＢが故障したり、電源電圧が低下してしまって交換しなければならなくなったような場合にも、電気二重層コンデンサよりなる充電可能な第２のバックアップ電源ＣＯが有効なバックアップ電源として機能し、確実なマイコン制御ユニット４０の動作機能が確保される。
【００５０】
（スリープ制御モード解除ための割込信号入力回路）
ところで、本実施の形態では、上述のように、マイコン制御ユニット４０にとって、炊飯又は保温制御を必要としない待機状態が所定時間以上継続し、しかも、その間において何のキー操作もなされなかった場合には、ワークコイルＣ１，Ｃ２や保温ヒータＨ１、蓋ヒータＨ２等のＡＣ電源回路はもちろん、マイコン制御ユニット４０およびマイコン制御ユニット４０に対して外付けされているＥＥＰＲＯＭ等のメモリに対するＤＣ電源の供給を停止することによって、可能な限り消費電力の節減を図る省エネモード（スリープ制御モード）とそれら２つの条件が成立していない場合の消費電力を節減しない通常モードとの２つの電力制御モードを備えており、上記２つの条件が成立した場合には、必ず省エネスリープ制御モードに移行して省エネ状態に維持するようになっている。
【００５１】
一方、その場合において、上記２つの条件の成立は、所定の時間毎にチェックされ、仮に待機状態が所定時間以上継続していても、少なくともタイマー予約スイッチＳＷ５を除く何れかの操作キースイッチ（ＳＷ１〜ＳＷ４、ＳＷ６、ＳＷ７の何れか）がＯＮ操作された場合には、それまでのメニュー等設定状態を保持させたままで直ちに通常モードに復帰させるとともに、同操作キースイッチの操作内容をデータ上有効に確定した上で、再び上記所定時間以上の待機時間の経過とその間における上記何れかの操作キースイッチのＯＮ操作の判定（新たなスリープ条件の成立）とを繰り返す。
【００５２】
したがって、同構成では、例えば一旦メニュースイッチＳＷ２等が押されて炊飯メニューの設定がなされている途中においても、所定時間以上次の操作がなされなかった場合には、再びスリープ制御に入って省エネを図る。他方、その後、操作キースイッチのＯＮ操作がなされると、それまでの設定状態を保持したままで、新たな設定が可能な状態に復帰する。
【００５３】
この場合、上記所定時間内に何れかの操作キースイッチがＯＮ操作された場合に、同操作スイッチのＯＮ操作に対応して、上述したマイコン制御ユニット４０に対して、省エネスリープ制御モードを解除して通常モードに復帰させるための割込信号を入力する割込信号入力ポートＰ８が、例えば図４、図５に示すように、当該マイコン制御ユニット４０の操作キースイッチ等の信号入力部に設けられている。
【００５４】
すなわち、図５の回路において、取消スイッチＳＷ１、メニュースイッチＳＷ２、保温スイッチＳＷ３、炊飯スイッチＳＷ４、タイマー予約用の時指定スイッチＳＷ６、分指定スイッチＳＷ７のマイコン側入力ラインには、それぞれ抵抗Ｒ０を介してＤＣ電源５（Ｖ）が印加されている一方、グランドライン側は抵抗Ｒ２を介してアースされている。
【００５５】
したがって、それら各スイッチＳＷ１〜ＳＷ４、ＳＷ６、ＳＷ７の各々がＯＮ操作されると、それぞれＲ２／（Ｒ０＋Ｒ２）×５（Ｖ）の電圧レベルのスイッチＯＮ信号が対応する入力ポートＰ１〜Ｐ４、Ｐ６、Ｐ７より入力され、同スイッチのＯＮ状態が判定される。また、それら各スイッチＳＷ１〜ＳＷ４、ＳＷ６、ＳＷ７と抵抗Ｒ２との間は、抵抗Ｒ１を介して上述の割込信号入力ポートＰ８に接続されている。
【００５６】
また、タイマー予約スイッチＳＷ５の一端には、ＤＣ電源５（Ｖ）が印加されている一方、他端側は抵抗Ｒ３を介してグランドに接続されており、ＯＮ操作時の抵抗Ｒ３両端の電圧信号がタイマー予約スイッチＳＷ５のＯＮ信号として入力ポートＰ５を介してマイコン制御ユニット４０に入力されるようになっている。
【００５７】
したがって、このような場合、上記ＳＷ１〜ＳＷ４、ＳＷ６、ＳＷ７の何れかのスイッチがＯＮ操作されると、上記抵抗Ｒ２の両端には、上記同様の所定の電圧が生じ、これが上述した省エネスリープ制御モード解除用の割込信号として上記割込信号入力ポートＰ８を介してマイコン制御ユニット４０に入力され、それに対応して上記マイコン制御ユニット４０が上記省エネスリープ制御モードを解除して通常モードに復帰させる。
【００５８】
（省エネスリープ制御）
次に、図６のフローチャートは、上記電気炊飯器における省エネスリープ制御モードの具体的な内容を示すものである。
【００５９】
すなわち、該制御では、図６のフローチャートに示すように、先ず現在の炊飯器の状態が、電源回路にＡＣ電源が印加され、かつ炊飯メニューその他の設定を待っている状態、または炊飯メニュー等の設定が完了し、炊飯スイッチＳＷ４のＯＮ操作を待っているか、予約設定時刻が到来するまでタイマーのみを作動させて炊飯開始時刻になるのを待っているタイマー予約状態等の炊飯待機中であるか否かを判定する（ステップＳ１）。
【００６０】
その結果、ＹＥＳ（待機中）の場合には、続いて上述した何れかの操作キースイッチが押されているか否か、すなわち操作キースイッチの押し下げ履歴の有無を判定する（ステップＳ２）。
【００６１】
その結果、ＮＯと判定された操作キーの押し下げ操作がない時は、さらに待機開始時から現在までの待機時間（待機経過時間）Ｃｎｔを制御周期毎にカウントし（ステップＳ３）、続いて所定の設定時間までカウントアップしたか否かを判定する（ステップＳ４）。
【００６２】
その結果、予じめ定められた所定の設定時間までカウントアップしているＹＥＳの時は、それまでの待機時間のカウント値ＣｎｔをＣｎｔ＝０にクリアした上で（ステップＳ５）、さらに上述した図４のＡＣ電源回路およびＤＣ電源回路（但し、第１，第２のバックアップ電源ＬＢ，ＣＯを除く）の電源を遮断してスリープ制御を開始するためのスリープ条件（所定の設定時間Ｃｎｔが経過して、しかも、その間に一度も操作キースイッチのＯＮ操作がなかったことの２つの条件）が成立したか否かを判定し（ステップＳ６）、同スリープ条件が成立しているＹＥＳの場合には、続いてスリープ条件が成立していてスリープ制御が実行されていることを示すスリープモードフラグをセット（ステップＳ７）した上で、上述した省エネスリープ制御モードに移行してスリープ制御を実行する（ステップＳ８）。
【００６３】
このスリープ制御モードでの省エネ制御は、スリープ制御中であっても上述の待機中の判定（ステップＳ１）以降、ステップＳ２で何らかの操作キースイッチの押し下げ操作があったことが判定された場合には、次回の判定のために上記ステップＳ２での操作キースイッチの押し下げ履歴フラグをクリア（ステップＳ９）し、かつ上記ステップＳ３の待機時間のカウント値Ｃｎｔ＋１をクリア（ステップＳ１０）した上で、他方ステップＳ４で設定待機時間のカウントアップが終了していないことが判定されたり、何らかの事情でステップＳ６でスリープ条件の不成立が判定されたような場合には、そのままステップＳ１１に進んで、上記ステップＳ７でのスリープモードフラグがセットされているか否か、つまり一旦スリープ制御モードに入った状態において、操作キースイッチのＯＮ操作があった場合であるか否かを判定し、スリープモードフラグがセットされているＹＥＳの場合には、同スリープモードフラグをクリアした上でスリープモードを解除し（ステップＳ１２）、直ちにＡＣ電源回路のＡＣ電源を投入して通常モードに復帰させ、それまでの各種設定状態を生かした炊飯可能な状態にセットする（ステップＳ１３）。
【００６４】
以上のように、本実施の形態では、マイコン制御ユニット４０にとって炊飯又は保温制御を必要としない待機状態が所定設定時間以上継続し、しかも、その間において何のキー操作もなされなかった場合には、速やかに省エネモードに移行して、ワークコイルＣ１，Ｃ２や保温ヒータＨ１や蓋ヒータＨ２等のＡＣ電源回路はもちろん、マイコン制御ユニット４０およびマイコン制御ユニット４０に対して外付けされているＥＥＰＲＯＭ等のメモリに対するＤＣ電源の供給を停止するようにしている。その結果、待機時における消費電力を大きく低減できるようになる。
【００６５】
そして、同ＡＣ、ＤＣ各電源の供給停止状態において、例えば炊飯スイッチＳＷ４、取消スイッチＳＷ１、メニュースイッチＳＷ２、保温スイッチＳＷ３、タイマー予約用の時指定スイッチＳＷ６、分指定スイッチＳＷ７等の何れかの操作キーがＯＮ操作されると、同操作キーの操作信号をスリープモード解除用の割り込み指令信号として、マイコン制御ユニット４０の割り込み信号入力ポートＰ８に入力することにより、それまでのメニュー等設定状態を保持させたままで、強制的に上記スリープ制御モードを解除し、メニュー選択、炊飯、取消し、保温等のそれまでの設定状態を生かしながら、新たな設定又は制御が可能な通常モードに復帰させるようになっていることから、ユーザーにとって必要とする制御機能には何の支障も与えない。
【００６６】
また、スリープ制御モードの解除は、マイコン制御ユニット４０に割込信号入力ポートＰ８を設けるだけで良いことから、構成も簡単で済む。
【００６７】
また、その後、上記操作キースイッチの操作内容をデータ上有効に確定した上で、再び上記所定時間以上の待機時間の経過とその間における上記何れかの操作キースイッチのＯＮ操作の判定（新たなスリープ条件の成立）とを繰り返す。
【００６８】
したがって、同構成では、例えば一旦メニュースイッチＳＷ２等が押されて炊飯メニューの設定がなされている途中においても、所定時間以上次の操作がなされなかった場合には、再びスリープ制御に入って省エネを図る。他方、その後、操作キースイッチのＯＮ操作がなされると、それまでの設定状態を保持したままで、新たな設定が可能な状態に復帰する。
【００６９】
＜変形例１＞
以上のように、本実施の形態では、炊飯又は保温制御状態でない待機状態では、同待機状態が所定時間以上継続していて、しかも、その間に何らのキー操作も無かったことを条件として、ＡＣ電源はもちろんマイコン制御ユニット３０および外付けメモリへのＤＣ電源の供給をＯＦＦにし、可及的に消費電力の低減を図るようにしている。
【００７０】
この場合、上述した操作パネル部２０の液晶表示部２１の表示は、ＯＦＦにしてもしなくても良いが、もちろんＯＦＦにした方が省エネ効果は高くなる。
【００７１】
ただし、ＯＦＦにする場合でも、完全にＯＦＦにしてしまう方法や時刻表示のみは表示する方法など種々の形態が考えられる。
【００７２】
また、メモリ型液晶を採用して電源ＯＦＦ時の表示状態をそのまま維持させることも可能である。
【００７３】
さらに、操作キースイッチのＯＮ操作に対応して、スリープ制御モードから炊飯又は保温の可能な通常モードに復帰させるに際し、当該操作キースイッチの操作内容（例えば炊飯スイッチＳＷ４のＯＮによる炊飯の開始、取消スイッチＳＷ１のＯＮによるタイマー予約の取消しなど）を、以後の制御に反映させるか、させないかは、何れの方法を採用してもよいが、ユーザーにとっては２度のキー操作が必要でない前者の方が便利となる。
【００７４】
＜変形例２＞
なお、以上のスリープ制御状態から通常の保温加熱制御状態への復帰は、さらに内鍋３の検知温度と基板センサＳ２により検出された室温とを比較し、それらの差が所定値以下に小さくなった時には、保温制御が必要であると判断してスリープ状態を解除して復帰させるようにしても良い。
【００７５】
また、さらに他の方法として、単純に内鍋３の検知温度が所定の設定温度以上の時には保温加熱制御不要、同温度よりも低い時には保温加熱制御必要と判断するようにすることもできる。
【符号の説明】
【００７６】
Ｃ１，Ｃ２はワークコイル、Ｈ１は保温ヒータ、Ｈ２は蓋ヒータ、５は外ケース、２は蓋ユニット、３は内鍋、２０は操作パネル、２１は液晶表示部、３７はＩＨ回路、４０は制御マイコン、Ｂ１は制御基板、Ｂ２はマイコン基板、Ｓ１は底センサ、Ｓ２は室温センサ、Ｓ３は基板センサ、Ｓ４は蓋センサ、ＬＢは第１のバックアップ電源、ＣＯは第２のバックアップ電源である。
【図１】
0005598102.tif 000002
【図２】
0005598102.tif 000003
【図３】
0005598102.tif 000004
【図４】
0005598102.tif 000005
【図５】
0005598102.tif 000006
【図６】
0005598102.tif 000007